(57)【特許請求の範囲】
【請求項１】
マシン型通信（ＭＴＣ）に構成される、または、低優先度装置として構成される、移動体通信装置であって、
サービスネットワークに対してワイヤレス（無線）送信し、および、当該サービスネットワークからワイヤレス（無線）受信を行うワイヤレス（無線）モジュールと、
コントローラーモジュールと
を具備し、
当該コントローラーモジュールは、
公衆陸上移動体ネットワーク(PLMN)アイデンティティを禁止PLMNリストに加えることに応答してバックオフ・タイマーを起動し、
前記バックオフ・タイマーが時間切れになるまで、前記ワイヤレスモジュールを介して前記禁止PLMNリスト中に存在するPLMNアイデンティティに関連するサービスネットワークへのアクセスを禁止し、
前記バックオフ・タイマーが時間切れになる前に当該移動体通信装置の電源オフに応答して前記禁止PLMNリストを記憶し、
当該移動体通信装置の電源オフの後、当該移動体通信装置の電源オンになる時、前記バックオフ・タイマーが時間切れであると判断することに応答して前記禁止PLMNリストを除去する、
移動体通信装置。
【請求項２】
前記禁止PLMNリストは、汎用パケット無線サービス(GPRS)または非GPRSサービスのための維持され、
サブスクライバ・アイデンティティ・カードの無効設定が前記汎用パケット無線サービス(GPRS)または前記非GPRSサービスのために設定される、
請求項１に記載の移動体通信装置。
【発明の詳細な説明】
【技術分野】
【０００１】
本発明は、アクセス制御技術に関するものであって、特に、低優先度装置またはマシン型通信(MTC)装置のバックオフタイマーによるアクセス制御の方法およびそれを用いた装置に関するものである。
【背景技術】
【０００２】
長い間、我々の日常生活は、各種機器により、あらゆる方面で便利になっている。一般に、現在の機器は、演算プロセッサおよびソフトウェアを備えて、我々に、更に情報に基づいたサービスを提供している。無線通信の技術の普及により、マシン型通信(MTC)が発展して、リモート・マシン間の通信を可能にし、情報を交換して、人の相互作用なしでも操作することができる。特に、重要な公共インフラ、例えば、水処理施設または橋、MTCセンサーが用いられて、施設の運用状態を監視し、無線通信ネットワークにより、コントロールセンターに測定結果を報告する。
無線通信ネットワークは、例えば、移動体通信用グローバルシステム(Global System for Mobile communications、GSM)技術、汎用パケット無線サービス(General Packet Radio Service、GPRS)技術、GSM進化型高速データレート(Enhanced Data rates for Global Evolution、EDGE)技術、広帯域符号分割多元アクセス(Wideband Code Division Multiple Access、WCDMA)技術、符号分割多元アクセス(Code Division Multiple Access 2000、CDMA-2000)技術、時分割符号分割多重アクセス(Time Division-Synchronous Code Division Multiple Access、TD-SCDMA)技術、マイクロ波アクセス用ワールドワイド相互操作可能（ワイマックス(Worldwide Interoperability for Microwave Access、WiMAX)）技術、ロングタームエボリューション(Long Term Evolution、LTE)技術、LTE-先進技術等を含む。
【０００３】
3GPP TS 23.060仕様, v10.1.0(TS 23.060 仕様と称される)および3GPP TS 24.008 仕様, v10.1.0(24.008仕様と称される)に従うLTE技術を例とする。
遅延に対し耐性があることを示す移動局(Mobile Station、MS)は、低優先度のインジケーター(low priority indicator)またはMTCインジケーターを定義する。
MEは、製造の過程でMTCに設定されるおよび/またはサービスネットワークにアクセスする時、オープンモバイルアライアンス(Open Mobile Alliance、OMA)デバイスマネジメント(Device Management、DM)および/または加入者識別モジュール(Subscriber Identity Module)/汎用加入者識別モジュール(Universal Subscriber Identity Module、SIM/USIM)オーバージエア(Over-The-Air、OTA)により設定される。PLMNアイデンティティが“禁止PLMNリスト”または“GPRSサービスの禁止PLMN”リストに加えられる時、または、GPRSまたは非GPRSサービスに対し、SIM/USIMが無効に設定される時、MTCに設定されるMSまたは低優先度装置として設定されるMSは、24〜48時間の幅の乱数値で、バックオフタイマーT3245が開始され、この状況は、PLMNアイデンティティに関連するサービスネットワークが混雑またはオーバーロードで、且つ、通信トラフィックを減少させたい時に発生する。一旦、バックオフタイマーが開始すると、バックオフタイマーが期限切れになるまで、MSは、PLMNアイデンティティに関連するサービスネットワークへのアクセスを禁止し、バックオフタイマーが期限切れになる時、MSは、“禁止PLMNリスト”および“GPRSサービスの禁止PLMN”リストを削除し、GPRSまたは非GPRSサービスに対し、SIM/USIMを有効に設定するので、PLMNアイデンティティに関連するサービスネットワークに再度アクセスすることができる。
【先行技術文献】
【特許文献】
【０００４】
【特許文献１】米国仮出願61/428,320
【特許文献２】米国仮出願61/440,402
【発明の概要】
【発明が解決しようとする課題】
【０００５】
本発明は、低優先度装置またはマシン型通信(MTC)装置のバックオフタイマーによるアクセス制御の方法およびそれを用いた装置を提供することを目的とする。
【課題を解決するための手段】
【０００６】
本発明によれば、マシン型通信（ＭＴＣ）に構成される、または、低優先度装置として構成される、移動体通信装置であって、
サービスネットワークに対してワイヤレス（無線）送信し、および、当該サービスネットワークからワイヤレス（無線）受信を行うワイヤレス（無線）モジュールと、
コントローラーモジュールと
を具備し、
当該コントローラーモジュールは、
公衆陸上移動体ネットワーク(PLMN)アイデンティティを禁止PLMNリストに加えることに応答してバックオフ・タイマーを起動し、
前記バックオフ・タイマーが時間切れになるまで、前記ワイヤレスモジュールを介して前記禁止PLMNリスト中に存在するPLMNアイデンティティに関連するサービスネットワークへのアクセスを禁止し、
前記バックオフ・タイマーが時間切れになる前に当該移動体通信装置の電源オフに応答して前記禁止PLMNリストを記憶し、
当該移動体通信装置の電源オフの後、当該移動体通信装置の電源オンになる時、前記バックオフ・タイマーが時間切れであると判断することに応答して前記禁止PLMNリストを除去する、
移動体通信装置が提供される。
【０００７】
好ましくは、前記禁止PLMNリストは、汎用パケット無線サービス(GPRS)または非GPRSサービスのための維持され、サブスクライバ・アイデンティティ・カードの無効設定が前記汎用パケット無線サービス(GPRS)または前記非GPRSサービスのために設定される。
【００１２】
本発明のその他の特徴と長所は、当業者なら分かるように、本発明の精神と領域を脱しない範囲内で、本発明の実施の形態で開示される低優先度装置またはマシン型通信(MTC)装置のバックオフタイマーによるアクセス制御の方法およびそれを用いた装置に基づいて、各種の変動や潤色を加えることができる。
【発明の効果】
【００１３】
本発明により、通常サービスを得ることができなくなる欠点や、通信トラフィックを増加させる欠点が改善される。
【図面の簡単な説明】
【００１４】
【図１】本発明の実施の形態によるモバイル通信環境のブロック図である。
【図２】本発明の実施の形態によるバックオフタイマーと“禁止PLMNリスト”の処理により、低優先度装置またはMTC装置のアクセス制御を維持するメッセージシーケンスチャートである。
【図３】本発明の別の実施の形態によるバックオフタイマーと“禁止PLMNリスト”の処理により、低優先度装置またはMTC装置のアクセス制御を維持するメッセージシーケンスチャートである。
【図４】本発明の更に別の実施の形態によるバックオフタイマーと“禁止PLMNリスト”の処理により、低優先度装置またはMTC装置のアクセス制御を維持するメッセージシーケンスチャートである。
【図５】本発明の実施の形態によるバックオフタイマーと“GPRSサービスの禁止PLMN”リストの処理により、低優先度装置またはMTC装置のアクセス制御を維持するメッセージシーケンスチャートである。
【図６】本発明の別の実施の形態によるバックオフタイマーと“GPRSサービスの禁止PLMN”リストの処理により、低優先度装置またはMTC装置のアクセス制御を維持するメッセージシーケンスチャートである。
【図７】本発明の更に別の実施の形態によるバックオフタイマーと“GPRSサービスの禁止PLMN”リストの処理により、低優先度装置またはMTC装置のアクセス制御を維持するメッセージシーケンスチャートである。
【図８】本発明の実施の形態によるバックオフタイマーの処理およびサブキャリア識別カードの有効設定により、低優先度装置またはMTC装置のアクセス制御を維持するメッセージシーケンスチャートである。
【図９】本発明の別の実施の形態によるバックオフタイマーの処理およびサブキャリア識別カードの有効設定により、低優先度装置またはMTC装置のアクセス制御を維持するメッセージシーケンスチャートである。
【図１０】本発明の更に別の実施の形態によるバックオフタイマーの処理およびサブキャリア識別カードの有効設定により、低優先度装置またはMTC装置のアクセス制御を維持するメッセージシーケンスチャートである。
【図１１】本発明の実施の形態によるバックオフタイマーにより、低優先度装置またはMTC装置を維持するアクセス制御方法のフローチャートである。
【図１２】本発明の別の実施の形態によるバックオフタイマーにより、低優先度装置またはMTC装置を維持するアクセス制御方法のフローチャートである。
【図１３】本発明の更に別の実施の形態によるバックオフタイマーにより、低優先度装置またはMTC装置を維持するアクセス制御方法のフローチャートである。
【発明を実施するための形態】
【００１５】
本発明は、添付図面を参照した下記の詳細な記述により、さらに充分、理解されるであろう。
【００１６】
留意すべきことは、TS 23.060 およびTS 24.008仕様によると、MS移動局(Mobile Station)の作用は、バックオフタイマーT3245が、MSがオフになる時またはMSがサービスネットワークから分離される時まだ運転している場合に特定されないことである。その結果、MSの不確定作用は、バックオフタイマーが起動するPLMNアイデンティティを“禁止PLMNリスト”または“GPRSサービスの禁止PLMN”リスト中に残してしまい、その後、MSがオンになると、MSは、通常サービスを得ることができなくなる。また、MSの不確定作用は、MSがオフの時、バックオフタイマーがまだ期限切れでなくても、“禁止PLMNリスト”または“GPRSサービスの禁止PLMN”リストをリセットし、MSは、電源がオンになった後、PLMNアイデンティティに関連するサービスネットワークへのアクセスを要求し、よって、すでに混雑またはオーバーロードのPLMNアイデンティティに関連するサービスネットワークに対し、通信トラフィックを増加させる。
【００１７】
上述の問題を解決するため、本発明は、低優先度装置またはMTC装置の禁止PLMNリストを処理する装置と方法を提供する。図1は、本発明の実施の形態によるモバイル通信環境のブロック図である。モバイル通信環境100中、移動通信装置110は、MTCに設定されるまたは低優先度装置として設定される装置で、サービスネットワーク120に無線方式で接続され、無線サービスを得る。サービスネットワーク120は、アクセスネットワーク121およびコアネットワーク122を含み、アクセスネットワーク121は、LTE/LTE-先進技術中のWCDMA技術またはE-UTRAN(Evolved-UTRAN)のユニバーサル地上無線アクセスネットワーク(UTRAN)で、コアネットワーク122は、LTE/LTE-先進技術中のWCDMA技術または進化したパケットコア(Evolved Packet Core、EPC)のGPRSコアである。移動通信装置110は、無線モジュール111およびコントローラーモジュール112を含む。無線モジュール111は、サービスネットワーク120との無線送受信の機能を実行する。コントローラーモジュール112は、無線モジュール111およびその他の機能部品(例えば、MMI(man-machine interface)となるディスプレイユニットおよび/またはキーパッド、アプリケーションまたは通信プロトコル等のプログラムコードを保存するストレージユニット)の操作を制御する。更に明確には、無線モジュール111は無線周波数(RF)ユニットで、コントローラーモジュール112は、ベースバンドユニットの汎用プロセッサまたはマイクロコントロールユニット(micro-control unit、MCU)である。ベースバンドユニットは複数のハードウェアデバイスを含み、アナログデジタル変換(ADC)/デジタルアナログ変換(DAC)、ゲイン調整(gain adjusting)、変調(modulation)/復調(demodulation)、符号化(encoding)復号化(decoding)等を含むベースバンド信号処理を実行する。RFユニットはRF無線信号を受信し、受信したRF無線信号をベースバンド信号に変換し、ベースバンドユニットにより処理するかまたはベースバンドユニットからベースバンド信号を受信し、受信ベースバンド信号をRF無線信号に変換し、後に伝送する。RFユニットは、複数のハードウェアデバイスも含み、無線周波数変換を実行する。例えば、RFユニットはミキサー（混合器）を有して、移動通信システムの無線周波数で発振するキャリアによりベースバンド信号を多重化する。無線周波数は、WCDMAシステムに用いられる900MHz、1900MHzまたは2100MHz、または、LTE/LTE-先進システムに用いられる900MHz、2100MHzまたは2.6GHz、その他の無線アクセス技術(Radio Access Technology、RAT)に基づく。図示しないが、移動通信装置110に結合されるサブキャリア識別カード、例えば、加入者識別モジュール(SIM)カードまたは汎用加入者識別モジュール(USIM)カードである。サブキャリア識別カードは、必要に応じて、カードコントローラー(図示しない)により、コントローラーモジュール112に結合され、電圧レベルによりサブキャリア識別カードを駆動するかまたはコントローラーモジュール112により提供されるインターフェースにより直接コントローラーモジュール112に結合される。
【００１８】
更に特定的には、コントローラーモジュール112は、禁止PLMNリストを処理する無線モジュール111を制御する。図2は、本発明の実施の形態によるバックオフタイマーおよび“禁止PLMNリスト”を処理することにより、低優先度装置またはMTC装置のアクセス制御を維持するメッセージシーケンスチャートである。この実施の形態では、バックオフタイマーの処理は、サービスネットワーク120から特定メッセージを受信する移動通信装置110によりトリガーされる。この特定のメッセージは、“PLMN not allowed”を示す拒絶理由を含み、取り付け手順（attachment procedure）期間に受信されたATTACH REJECTメッセージであり得る、または、“PLMN not allowed”を示す拒絶理由を含み、位置登録（location registration）手順期間に受信されたROUTING AREA UPDATE REJECT/LOCATION UPDATING REJECTメッセージであり得る、または、“PLMN not allowed”を示す拒絶理由を含み、サービス要求手順期間に受信されたSERVICE REJECTメッセージであり得る。また、この特定のメッセージは、“re-attach not required”の分離型および“PLMN not allowed”を示す分離原因を含み、ネットワーク初期化分離手順期間に受信されたDETACH REQUESTメッセージである。サービスネットワーク120から、この特定のメッセージを受信する時、コントローラーモジュール112は、サービスネットワーク120が属する“禁止PLMNリスト”にPLMNアイデンティティを加える(ステップS210)。移動通信装置110はMTCに設定されるまたは低優先度装置として設定されるので、“禁止PLMNリスト”の更新に応えて、コントローラーモジュール112は、24〜48時間の幅の乱数値で、バックオフタイマーT3245を開始する(ステップS220)。その後、バックオフタイマーが期限切れになる前、移動通信装置110がオフになる時、コントローラーモジュール112は、バックオフタイマーが期限切れになる前の残り時間と“禁止PLMNリスト”を保存する(ステップS230)。続いて、移動通信装置110が再度オンになる時、コントローラーモジュール112は、移動通信装置110の最後の電源オフからの経過時間が残り時間以上であるか判断する(ステップS240)。
【００１９】
別の実施の形態では、残り時間の保存手順は、移動通信装置110がサービスネットワーク120から分離される時に実行されるのであって、移動通信装置110がオフになる時に実行されるのではない。後に、移動通信装置110が再度オンになる時、コントローラーモジュール112は、移動通信装置110の分離からの経過時間が残り時間以上であるか判断する。
【００２０】
この実施の形態では、最後にオフになってからの経過時間は、保存された残り時間より短いので、コントローラーモジュール112は、保存された残り時間から経過時間を差し引いて、バックオフタイマーを開始する(ステップS250)。その後、バックオフタイマーが期限切れである時、コントローラーモジュール112は、“禁止PLMNリスト”を除去またはクリアにする(ステップS260)。別の実施の形態では、ステップS240で、経過時間が残り時間以上であると判断される場合、コントローラーモジュール112はバックオフタイマーを開始せず、直接、“禁止PLMNリスト”を除去またはクリアにする。留意すべきことは、バックオフタイマーの運転期間中、サービスネットワーク120が属するPLMNアイデンティティが“禁止PLMNリスト”中に存在するので、移動通信装置110はサービスネットワーク120へのアクセスを禁止することである。よって、サービスネットワーク120への通信トラフィックが制御され、且つ、移動通信装置110は、バックオフタイマーT3245の適切な処理により、通常サービスを得ることができる。
【００２１】
図3は、本発明の別の実施の形態によるバックオフタイマーと“禁止PLMNリスト”の処理により、低優先度装置またはMTC装置のアクセス制御を維持するメッセージシーケンスチャートである。図2と同様、この実施の形態では、バックオフタイマーの処理は、サービスネットワーク120から特定のメッセージを受信する移動通信装置110によりトリガーされる。この特定のメッセージは、“PLMN not allowed”を示す拒絶理由を含み、取り付け手順期間に受信されたATTACH REJECTメッセージであり得る、または、“PLMN not allowed”を示す拒絶理由を含み、位置登録手順期間に受信されたROUTING AREA UPDATE REJECT/LOCATION UPDATING REJECTメッセージであり得る、または、“PLMN not allowed”を示す拒絶理由を含み、サービス要求手順期間に受信されたSERVICE REJECTメッセージであり得る。また、この特定のメッセージは、ネットワーク初期化分離手順期間に受信されたDETACH REQUESTメッセージで、“re-attach not required”の分離型および“PLMN not allowed”を示す分離原因を含む。サービスネットワーク120からこの特定のメッセージを受信する時、コントローラーモジュール112は、“禁止PLMNリスト”に、サービスネットワーク120が属するPLMNアイデンティティを加える(ステップS310)。移動通信装置110は、MTCに設定されるまたは低優先度装置として設定されるので、“禁止PLMNリスト”の更新に応えて、コントローラーモジュール112は、24〜48時間の幅の乱数値で、バックオフタイマーT3245を開始する(ステップS320)。その後、バックオフタイマーが期限切れになる前、移動通信装置110のモバイル通信機能がオフになる時(例えば、飛行モード)、コントローラーモジュール112は“禁止PLMNリスト”を保存し、バックオフタイマーは運転を維持する(ステップS330)。移動通信装置110のモバイル通信機能のオフは、無線モジュール111および/またはコントローラーモジュール112を電源オフにするかまたは無線モジュール111および/またはコントローラーモジュール112に提供される電圧を相対して低レベルに調整することにより実施される。別の実施の形態では、バックオフタイマーの運転を維持する工程は、サービスネットワーク120から移動通信装置を分離する時に実行され、移動通信装置110のモバイル通信機能がオフになる時に実行されるのではない。
【００２２】
続いて、移動通信装置110のモバイル通信機能が再度オンになる時、コントローラーモジュール112は、バックオフタイマーが既に期限切れになっているか判断する(ステップS340)。この実施の形態では、バックオフタイマーはまだ期限切れではないので、コントローラーモジュール112は、サービスネットワーク120へのアクセスを禁止したままである。その後、バックオフタイマーが期限切れになる時、コントローラーモジュール112は、“禁止PLMNリスト”を除去またはクリアにする(ステップS350)。別の実施の形態では、ステップS340で、バックオフタイマーが既に期限切れであると判断される場合、コントローラーモジュール112は、直接、“禁止PLMNリスト”を除去またはクリアにする。留意すべきことは、バックオフタイマーの運転期間中、サービスネットワーク120が属するPLMNアイデンティティは“禁止PLMNリスト”中に存在するので、移動通信装置110はサービスネットワーク120へのアクセスを禁止することである。よって、サービスネットワーク120への通信トラフィックが制御され、且つ、移動通信装置110は、バックオフタイマーT3245の適切な処理により通常サービスを得る。
【００２３】
図4は、本発明の更に別の実施の形態によるバックオフタイマーと“禁止PLMNリスト”の処理により、低優先度装置またはMTC装置のアクセス制御を維持するメッセージシーケンスチャートである。図2と同様、この実施の形態では、バックオフタイマーの処理は、サービスネットワーク120からの特定メッセージを受信する移動通信装置110によりトリガーされる。この特定のメッセージは、“PLMN not allowed”を示す拒絶理由を含み、取り付け手順期間に受信されたATTACH REJECTメッセージであり得る、または、“PLMN not allowed”を示す拒絶理由を含み、位置登録手順期間に受信されたROUTING AREA UPDATE REJECT/LOCATION UPDATING REJECTメッセージであり得る、または、“PLMN not allowed”を示す拒絶理由を含み、サービス要求手順期間に受信されたSERVICE REJECTメッセージであり得る。また、この特定のメッセージは、ネットワーク初期化分離手順期間に受信されたDETACH REQUESTメッセージで、“re-attach not required”の分離型および“PLMN not allowed”を示す分離原因を含む。サービスネットワーク120から、この特定のメッセージを受信する時、コントローラーモジュール112は、“禁止PLMNリスト”に、サービスネットワーク120が属するPLMNアイデンティティを加える(ステップS410)。移動通信装置110がMTCに設定されるまたは低優先度装置として設定されるので、“禁止PLMNリスト”の更新に応えて、コントローラーモジュール112は、24〜48時間の幅の乱数値で、バックオフタイマーT3245を開始する(ステップS420)。その後、バックオフタイマーが期限切れになる前、移動通信装置110がオフになる時、コントローラーモジュール112は、“禁止PLMNリスト”を除去またはクリアにする(ステップS430)。言い換えると、移動通信装置110の電源オフの時、バックオフタイマーが期限切れになる前の残り時間にかかわらず、バックオフタイマーが停止する。別の実施の形態では、“禁止PLMNリスト”の除去またはクリア工程は、サービスネットワーク120から移動通信装置110を分離する時に実行され、移動通信装置110がオフになる時に実行されるのではない。
【００２４】
続いて、移動通信装置110が再度オンになる時、サービスネットワーク120が属するPLMNアイデンティティは“禁止PLMNリスト”中に存在しないので、移動通信装置110はサービスネットワークへのアクセスを許可する。よって、移動通信装置110は、バックオフタイマーT3245と“禁止PLMNリスト”の適切な処理により、通常サービスを得ることができる。
【００２５】
図5は、本発明の実施の形態によるバックオフタイマーの処理および“GPRSサービスの禁止PLMN”リストを処理することにより、低優先度装置またはMTC装置のアクセス制御を維持するメッセージシーケンスチャートである。この実施の形態では、バックオフタイマーの処理は、サービスネットワーク120から特定のメッセージを受信する移動通信装置110によりトリガーされる。この特定のメッセージは、“GPRS services not allowed in this PLMN”を示す拒絶理由を含み、取り付け手順期間に受信されたATTACH REJECTメッセージであり得る、または、“GPRS services not allowed in this PLMN”を示す拒絶理由を含み、位置登録手順期間に受信されたROUTING AREA UPDATE REJECTメッセージであり得る。また、この特定のメッセージは、ネットワーク初期化分離手順期間に受信されたDETACH REQUESTメッセージで、且つ、“re-attach not required”の分離型および“GPRS services not allowed in this PLMN”を示す分離原因を含む。サービスネットワーク120から、この特定のメッセージを受信する時、コントローラーモジュール112は、“GPRSサービスの禁止PLMN”リストに、サービスネットワーク120が属するPLMNアイデンティティを加える(ステップS510)。移動通信装置110はMTCに設定されるまたは低優先度装置として設定されるので、“GPRSサービスの禁止PLMN”リストの更新に応えて、コントローラーモジュール112は、24〜48時間の幅の乱数値で、バックオフタイマーT3245を開始する(ステップS520)。その後、バックオフタイマーが期限切れになる前、移動通信装置110がオフになる時、コントローラーモジュール112は、バックオフタイマーが期限切れになる前の残り時間と“GPRSサービスの禁止PLMN”リストを保存する(ステップS530)。続いて、移動通信装置110が再度オンになる時、コントローラーモジュール112は、移動通信装置110の最後の電源オフからの経過時間が残り時間以上であるか判断する(ステップS540)。
【００２６】
別の実施の形態では、残り時間の保存手順は、サービスネットワーク120から移動通信装置310を分離する時に実行され、移動通信装置110の電源オフ時に実行されるのではない。その後、移動通信装置110が再度オンになる時、コントローラーモジュール112は、サービスネットワーク120から移動通信装置110を分離する経過時間が残り時間以上であるか判断する。
【００２７】
この実施の形態では、最後にオフになってからの経過時間は、保存された残り時間より短いので、コントローラーモジュール112は、保存された残り時間から経過時間を差し引いて、バックオフタイマーを開始する(ステップS550)。その後、バックオフタイマーが期限切れである時、コントローラーモジュール112は、“禁止PLMNリスト”を除去またはクリアにする(ステップS560)。別の実施の形態では、ステップS540で、経過時間が残り時間以上であると判断される場合、コントローラーモジュール112はバックオフタイマーを開始せず、直接、“禁止PLMNリスト”を除去またはクリアにする。留意すべきことは、バックオフタイマーの運転期間中、サービスネットワーク120が属するPLMNアイデンティティが“禁止PLMNリスト”中に存在するので、移動通信装置110はサービスネットワーク120へのアクセスを禁止することである。よって、サービスネットワーク120への通信トラフィックが制御され、且つ、移動通信装置110は、バックオフタイマーT3245の適切な処理により、通常サービスを得ることができる。
【００２８】
図6は、本発明の別の実施の形態によるバックオフタイマーの処理および“GPRSサービスの禁止PLMN”リストを処理することにより、低優先度装置またはMTC装置のアクセス制御を維持するメッセージシーケンスチャートである。この実施の形態では、バックオフタイマーの処理は、サービスネットワーク120から特定のメッセージを受信する移動通信装置110によりトリガーされる。この特定のメッセージは、“GPRS services not allowed in this PLMN”を示す拒絶理由を含み、取り付け手順期間に受信されたATTACH REJECTメッセージであり得る、または、“GPRS services not allowed in this PLMN”を示す拒絶理由を含み、位置登録手順期間に受信されたROUTING AREA UPDATE REJECTメッセージであり得る。また、この特定のメッセージは、ネットワーク初期化分離手順期間に受信されたDETACH REQUESTメッセージで、“re-attach not required”の分離型および“GPRS services not allowed in this PLMN”を示す分離原因を含む。サービスネットワーク120から、この特定のメッセージを受信する時、コントローラーモジュール112は、“GPRSサービスの禁止PLMN”リストに、サービスネットワーク120が属するPLMNアイデンティティを加える(ステップS610)。移動通信装置110はMTCに設定されるまたは低優先度装置として設定されるので、“GPRSサービスの禁止PLMN”リストの更新に応えて、コントローラーモジュール112は、24〜48時間の幅の乱数値で、バックオフタイマーT3245を開始する(ステップS620)。その後、バックオフタイマーが期限切れになる前、移動通信装置110のモバイル通信機能がオフになる時(例えば、飛行モード)、コントローラーモジュール112は、“GPRSサービスの禁止PLMN”リストを保存し、バックオフタイマーは運転を維持する(ステップS630)。移動通信装置110のモバイル通信機能のオフは、無線モジュール111および/またはコントローラーモジュール112を電源オフにするかまたは無線モジュール111および/またはコントローラーモジュール112に提供される電圧を相対して低レベルに調整することにより実施される。別の実施の形態では、バックオフタイマーの運転を維持する工程は、サービスネットワーク120から移動通信装置を分離する時に実行され、移動通信装置110のモバイル通信機能がオフになる時に実行されるのではない。
【００２９】
続いて、移動通信装置110のモバイル通信機能が再度オンになる時、コントローラーモジュール112は、バックオフタイマーが既に期限切れになっているか判断する(ステップS640)。この実施の形態では、バックオフタイマーはまだ期限切れではないので、コントローラーモジュール112は、サービスネットワーク120へのアクセスを禁止したままである。その後、バックオフタイマーが期限切れになる時、コントローラーモジュール112は、“禁止PLMNリスト”を除去またはクリアにする(ステップS650)。別の実施の形態では、ステップS640で、バックオフタイマーが既に期限切れであると判断される場合、コントローラーモジュール112は、直接、“禁止PLMNリスト”を除去またはクリアにする。留意すべきことは、バックオフタイマーの運転期間中、サービスネットワーク120が属するPLMNアイデンティティは“禁止PLMNリスト”中に存在するので、移動通信装置110はサービスネットワーク120へのアクセスを禁止することである。よって、サービスネットワーク120への通信トラフィックが制御され、且つ、移動通信装置110は、バックオフタイマーT3245の適切な処理により通常サービスを得る。
【００３０】
図7は、本発明の更に別の実施の形態によるバックオフタイマーの処理および“GPRSサービスの禁止PLMN”リストを処理することにより、低優先度装置またはMTC装置のアクセス制御を維持するメッセージシーケンスチャートである。図5と同様、この実施の形態では、バックオフタイマーの処理は、サービスネットワーク120からの特定メッセージを受信する移動通信装置110によりトリガーされる。この特定のメッセージは、“GPRS services not allowed in this PLMN”を示す拒絶理由を含み、取り付け手順期間に受信されたATTACH REJECTメッセージであり得る、または、“GPRS services not allowed in this PLMN”を示す拒絶理由を含み、位置登録手順期間に受信されたROUTING AREA UPDATE REJECTメッセージである。また、この特定のメッセージは、ネットワーク初期化分離手順期間に受信されたDETACH REQUESTメッセージで、且つ、“re-attach not required”の分離型および“GPRS services not allowed in this PLMN”を示す分離原因を含む。サービスネットワーク120から、この特定のメッセージを受信する時、コントローラーモジュール112は、“GPRSサービスの禁止PLMN”リストに、サービスネットワーク120が属するPLMNアイデンティティを加える(ステップS710)。移動通信装置110はMTCに設定されるまたは低優先度装置として設定されるので、“GPRSサービスの禁止PLMN”リストの更新に応えて、コントローラーモジュール112は、24〜48時間の幅の乱数値で、バックオフタイマーT3245を開始する(ステップS720)。その後、バックオフタイマーが期限切れになる前、移動通信装置110がオフの時、コントローラーモジュール112は、“GPRSサービスの禁止PLMN”リストを保存する(ステップS730)。言い換えると、バックオフタイマーは、バックオフタイマーが期限切れになる前の残り時間にかかわらず、移動通信装置110の電源オフに応えて停止する。別の実施の形態では、“GPRSサービスの禁止PLMN”を除去またはクリアにする工程は、サービスネットワーク120から移動通信装置110を分離するときに実行され、移動通信装置110がオフの時に実行されるのではない。
【００３１】
続いて、移動通信装置110が再度オンになる時、移動通信装置110は、“GPRSサービスの禁止PLMN”リストを除去またはクリアにし(ステップS740)、これにより、サービスネットワーク120が属するPLMNアイデンティティは“GPRSサービスの禁止PLMN”リスト中に存在しないので、サービスネットワークへのアクセスを許可する。よって、移動通信装置110は、バックオフタイマーT3245および“GPRSサービスの禁止PLMN”リストの適切な処理により、通常サービスを得ることができる。
【００３２】
図8は、本発明の実施の形態によるバックオフタイマーの処理とサブキャリア識別カードの有効設定により、低優先度装置またはMTC装置のアクセス制御を維持するメッセージシーケンスチャートである。この実施の形態では、バックオフタイマーの処理は、サービスネットワーク120からの特定メッセージを受信する移動通信装置110によりトリガーされる。この特定のメッセージは、“Illegal ME”を示す拒絶理由を含み、位置登録手順期間に受信されたROUTING AREA UPDATE REJECT/LOCATION UPDATING REJECTメッセージ、または、サービス要求手順または通話再構築手順で受信され、“Illegal ME”を示す拒絶理由を含み、CM SERVICE REJECTメッセージである。また、この特定のメッセージは、ネットワーク初期化分離手順期間に受信されたDETACH REQUESTメッセージで、且つ、“re-attach not required”の分離型および“IMSI unknown in HLR”を示す分離原因を含む。サービスネットワーク120から、この特定のメッセージを受信する時、コントローラーモジュール112は、移動通信装置110に結合されるサブキャリア識別カードを無効に設定する(ステップS810)。移動通信装置110はMTCに設定されるまたは低優先度装置として設定されるので、サブキャリア識別カードの無効設定に応えて、コントローラーモジュール112は、24〜48時間の幅の乱数値で、バックオフタイマーT3245を開始する(ステップS820)。その後、バックオフタイマーが期限切れになる前、移動通信装置110がオフになる時、コントローラーモジュール112は、バックオフタイマーが期限切れになる前の残り時間およびサブキャリア識別カードの無効設定を保存する(ステップS830)。続いて、移動通信装置110が再度オンになる時、コントローラーモジュール112は、移動通信装置110の最後の電源オフからの経過時間が残り時間以上であるか判断する(ステップS840)。
【００３３】
別の実施の形態では、残り時間の保存手順は、移動通信装置110がサービスネットワーク120から分離される時に実行されるのであって、移動通信装置110がオフになる時に実行されるのではない。後に、移動通信装置110が再度オンになる時、コントローラーモジュール112は、移動通信装置110の分離からの経過時間が残り時間以上であるか判断する。
この実施の形態では、最後にオフになってからの経過時間は、保存された残り時間より短いので、コントローラーモジュール112は、保存された残り時間から経過時間を差し引いて、バックオフタイマーを開始する(ステップS850)。その後、バックオフタイマーが期限切れである時、コントローラーモジュール112は、サブキャリア識別カードを有効に設定する(ステップS860)。別の実施の形態では、ステップS840で、経過時間が残り時間以上であると判断される場合、コントローラーモジュール112はバックオフタイマーを開始せず、直接、サブキャリア識別カードを有効に設定する。留意すべきことは、バックオフタイマーの運転期間中、サブキャリア識別カードの無効設定は変化が無く、よって、移動通信装置110はサービスネットワーク120へのアクセスを禁止することである。よって、サービスネットワーク120への通信トラフィックが制御され、且つ移動通信装置110は、バックオフタイマーT3245の適切な処理により、通常のサービスが得られる。
【００３４】
図9は、本発明の別の実施の形態によるバックオフタイマーの処理とサブキャリア識別カードの有効設定により、低優先度装置またはMTC装置のアクセス制御を維持するメッセージシーケンスチャートである。図8と同様、この実施の形態では、バックオフタイマーの処理は、サービスネットワーク120からの特定メッセージを受信する移動通信装置110によりトリガーされる。この特定のメッセージは、“Illegal ME”を示す拒絶理由を含み、位置登録手順期間に受信されたROUTING AREA UPDATE REJECT/LOCATION UPDATING REJECTメッセージであり得る、または、サービス要求手順または通話再構築手順期間中に受信され、“Illegal ME”を示す拒絶理由を含むCM SERVICE REJECTメッセージであり得る。また、この特定のメッセージは、ネットワーク初期化分離手順期間に受信されたDETACH REQUESTメッセージで、且つ、“re-attach not required”の分離型および“IMSI unknown in HLR”を示す分離原因を含む。サービスネットワーク120からこの特定のメッセージを受信する時、コントローラーモジュール112は、移動通信装置110に結合されるサブキャリア識別カードを無効に設定する(ステップS910)。移動通信装置110はMTCに設定されるまたは低優先度装置として設定されるので、サブキャリア識別カードの無効設定に応えて、コントローラーモジュール112は、24〜48時間の幅の乱数値で、バックオフタイマーT3245を開始する(ステップS920)。その後、バックオフタイマーが期限切れになる前、移動通信装置110のモバイル通信機能がオフになる時(例えば、飛行モード)、コントローラーモジュール112はサブキャリア識別カードの無効設定を保存し、バックオフタイマーは運転を維持する(ステップS930)。移動通信装置110のモバイル通信機能のオフは、無線モジュール111および/またはコントローラーモジュール112を電源オフにするかまたは無線モジュール111および/またはコントローラーモジュール112に提供される電圧を相対して低レベルに調整することにより実施される。別の実施の形態では、バックオフタイマーの運転を維持する工程は、サービスネットワーク120から移動通信装置を分離する時に実行され、移動通信装置110のモバイル通信機能がオフになる時に実行されるのではない。
【００３５】
続いて、移動通信装置110のモバイル通信機能が再度オンになる時、コントローラーモジュール112は、バックオフタイマーが既に期限切れか判断する(ステップS940)。バックオフタイマーはまだ期限切れではないので、コントローラーモジュール112は、サービスネットワーク120へのアクセスを禁止したままである。その後、バックオフタイマーが期限切れの時、コントローラーモジュール112は、サブキャリア識別カードを有効に設定する(ステップS950)。別の実施の形態では、ステップS940中、バックオフタイマーが既に期限切れであると判断される場合、コントローラーモジュール112は、直接、サブキャリア識別カードを有効に設定する。留意すべきことは、バックオフタイマーの運転期間中、サブキャリア識別カードの無効設定は変化が無いので、移動通信装置110は、サービスネットワーク120にアクセスするのを禁止することである。よって、サービスネットワーク120への通信トラフィックが制御され、且つ、移動通信装置110は、バックオフタイマーT3245の適切な処理により、通常サービスを得る。
【００３６】
図10は、本発明の更に別の実施の形態によるバックオフタイマーの処理とサブキャリア識別カードの有効設定により、低優先度装置またはMTC装置のアクセス制御を維持するメッセージシーケンスチャートである。図8と同様、この実施の形態では、バックオフタイマーの処理は、サービスネットワーク120からの特定メッセージを受信する移動通信装置110によりトリガーされる。この特定のメッセージは、“Illegal ME”を示す拒絶理由を含み、位置登録手順期間に受信されたROUTING AREA UPDATE REJECT/LOCATION UPDATING REJECTメッセージであり得る、または、サービス要求手順または通話再構築手順期間で受信され、“Illegal ME”を示す拒絶理由を含むCM SERVICE REJECTメッセージであり得る。また、この特定のメッセージは、ネットワーク初期化分離手順期間に受信されたDETACH REQUESTメッセージで、且つ、“re-attach not required”の分離型および“IMSI unknown in HLR”を示す分離原因を含む。サービスネットワーク120から、この特定のメッセージを受信する時、コントローラーモジュール112は、移動通信装置110に結合されるサブキャリア識別カードを無効に設定する(ステップS1010)。移動通信装置110はMTCに設定されるまたは低優先度装置として設定されるので、サブキャリア識別カードの無効設定に応えて、コントローラーモジュール112は、24〜48時間の幅の乱数値で、バックオフタイマーT3245を開始する(ステップS1020)。その後、バックオフタイマーが期限切れになる前、移動通信装置110がオフになる時、コントローラーモジュール112は、サブキャリア識別カードを有効に設定する(ステップS1030)。言い換えると、移動通信装置110の電源オフ時、バックオフタイマーが期限切れになる前の残り時間にかかわらず、バックオフタイマーが停止する。別の実施の形態では、サブキャリア識別カードを有効に設定する手順は、移動通信装置110がサービスネットワーク120に分離される時に実行され、移動通信装置110がオフになる時に実行されるのではない。
【００３７】
続いて、移動通信装置110が再度オンになる時、サブキャリア識別カードはすでに無効ではないので、移動通信装置110は、サービスネットワークへのアクセスを許可する。また、ステップS1030で、コントローラーモジュール112は、直接、サブキャリア識別カードの無効設定を保存し、移動通信装置110が期限切れになるまで、サブキャリア識別カードを有効に設定することを遅らせる。よって、移動通信装置110は、バックオフタイマーT3245の適切な処理およびサブキャリア識別カードの有効設定により、通常サービスを得ることができる。
【００３８】
図11は、本発明の実施の形態によるバックオフタイマーにより、低優先度装置またはMTC装置を維持するアクセス制御方法のフローチャートである。この例では、本方法は、MTCに設定されるまたは低優先度装置として設定されるあらゆる移動通信装置、例えば、図1中の移動通信装置110に適用される。まず、本方法は、PLMNアイデンティティを禁止PLMNリストに追加する時または移動通信装置に結合するサブキャリアカードを無効に設定する時、移動通信装置はバックオフタイマーを開始する(ステップS1110)。一例では、禁止PLMNリストは移動通信装置が非GPRSサービスのアクセスを禁止するPLMNアイデンティティを保存する“禁止PLMNリスト”で、PLMNアイデンティティを“禁止PLMNリスト”に追加する手順は、サービスネットワークから特定のメッセージを受信する移動通信装置によりトリガーされ、特定のメッセージは、”PLMN not allowed”を示す拒絶理由を含み、取り付け手順期間に受信されたATTACH REJECTメッセージであり得る、または、“PLMN not allowed”を示す拒絶理由を含み、位置登録手順期間に受信されたROUTING AREA UPDATE REJECT/LOCATION UPDATING REJECTメッセージであり得る、または、”PLMN not allowed”を示す拒絶理由を含み、サービス要求手順期間に受信されたSERVICE REJECTメッセージである。また、この特定のメッセージは、ネットワーク初期化分離手順期間に受信されたDETACH REQUESTメッセージで、且つ、“re-attach not required”の分離型および“PLMN not allowed”を示す分離原因を含む。別の例では、禁止PLMNリストは、移動通信装置がGPRSサービスやEPSサービスのアクセスを禁止するPLMNアイデンティティを保存する“GPRSサービスの禁止PLMN”リストで、PLMNアイデンティティを“GPRSサービスの禁止PLMN”リストに追加する手順は、サービスネットワークから特定のメッセージを受信する移動通信装置によりトリガーされ、特定のメッセージは、“GPRS services not allowed in this PLMN”を示す拒絶理由を含み、取り付け手順期間に受信されたATTACH REJECTメッセージであり得る、または、“GPRS services not allowed in this PLMN”を示す拒絶理由を含み、位置登録手順期間に受信されたROUTING AREA UPDATE REJECTメッセージである。また、この特定のメッセージは、ネットワーク初期化分離手順期間に受信されたDETACH REQUESTメッセージで、且つ、“re-attach not required”の分離型および“GPRS services not allowed in this PLMN”を示す分離原因を含む。一例では、サブキャリア識別カードを無効に設定する手順は、サービスネットワークから特定のメッセージを受信する移動通信装置によりトリガーされ、特定のメッセージは、“Illegal ME”を示す拒絶理由を含み、位置登録手順期間に受信されたROUTING AREA UPDATE REJECT/LOCATION UPDATING REJECTメッセージ、または、サービス要求手順または通話再構築手順期間で受信され、“Illegal ME”を示す拒絶理由を含むCM SERVICE REJECTメッセージである。また、この特定のメッセージは、ネットワーク初期化分離手順期間に受信されたDETACH REQUESTメッセージで、且つ、“re-attach not required”の分離型および“IMSI unknown in HLR”を示す分離原因を含む。
【００３９】
続いて、バックオフタイマーが期限切れになるまで、移動通信装置は、サービスネットワークへのあらゆるアクセスも禁止する(ステップS1120)。その後、移動通信装置がオフになるまたはバックオフタイマーが期限切れになる前、サービスネットワークから分離する時、移動通信装置はバックオフタイマーが期限切れになる前の残り時間を保存する(ステップS1130)。電源オフの前にバックオフタイマーが期限切れになる前の残り時間が保存されるので、移動通信装置は、再度オンになる時、電源オフからの経過時間が残り時間以上であるか判断する。経過時間が残り時間以上である場合、移動通信装置は、禁止PLMNリストを除去またはクリアにするか、または、サブキャリア識別カードを有効に設定し、サービスネットワークへのアクセスが可能である。特に、移動通信装置の電源オフの前に、禁止PLMNリストおよびサブキャリア識別カードの無効設定が保存される。そうでなければ、経過時間が残り時間に満たない場合、移動通信装置は、残り時間から経過時間を差し引いて、バックオフタイマーを開始し、バックオフタイマーが期限切れの時だけ、禁止PLMNリストを除去またはクリアにするか、または、サブキャリア識別カードを有効に設定する。
【００４０】
留意すべきことは、本発明の方法により、バックオフタイマーの運転期間中、サービスネットワークが属するPLMNアイデンティティが禁止PLMNリスト中に存在するかまたはサブキャリア識別カードの無効設定は変化が無いので、移動通信装置は、サービスネットワークへのアクセスを禁止することである。よって、サービスネットワークへの通信トラフィックが制御され、且つ、移動通信装置は、バックオフタイマーの適切な処理により通常サービスを得ることができる。
【００４１】
図12は、本発明の別の実施の形態によるバックオフタイマーにより、低優先度装置またはMTC装置を維持するアクセス制御方法のフローチャートである。図11と同様、この実施の形態の本方法は、MTCに設定されるまたは低優先度装置として設定されるあらゆる移動通信装置、例えば、図1中の移動通信装置110に適用される。まず、本方法は、PLMNアイデンティティを禁止PLMNリストに加える時または移動通信装置に結合するサブキャリアカードを無効に設定する時、移動通信装置はバックオフタイマーを開始する(ステップS1210)。一例では、禁止PLMNリストは、移動通信装置が非GPRSサービスのアクセスを禁止するPLMNアイデンティティを保存する“禁止PLMNリスト”で、PLMNアイデンティティを“禁止PLMNリスト”に加える手順は、サービスネットワークから特定のメッセージを受信する移動通信装置によりトリガーされる。特定のメッセージは、”PLMN not allowed”を示す拒絶理由を含み、取り付け手順期間に受信されたATTACH REJECTメッセージであり得る、または、位置登録手順期間に受信され、“PLMN not allowed”を示す拒絶理由を含むROUTING AREA UPDATE REJECT/LOCATION UPDATING REJECTメッセージであり得る、または、“PLMN not allowed”を示す拒絶理由を含み、サービス要求手順期間に受信されたSERVICE REJECTメッセージである。また、この特定のメッセージは、ネットワーク初期化分離手順期間に受信されたDETACH REQUESTメッセージで、“re-attach not required”の分離型および“PLMN not allowed”を示す分離原因を含む。別の例では、禁止PLMNリストは、移動通信装置がGPRSサービスやEPSサービスのアクセスを禁止するPLMNアイデンティティを保存する“GPRSサービスの禁止PLMN”リストで、PLMNアイデンティティを“GPRSサービスの禁止PLMN”リストに加える手順は、サービスネットワークから特定のメッセージを受信する移動通信装置によりトリガーされ、特定のメッセージは、“GPRS services not allowed in this PLMN”を示す拒絶理由を含む取り付け手順期間に受信されたATTACH REJECTメッセージ、または、“GPRS services not allowed in this PLMN”を示す拒絶理由を含み、位置登録手順期間に受信されたROUTING AREA UPDATE REJECTメッセージである。また、この特定のメッセージは、ネットワーク初期化分離手順期間に受信されたDETACH REQUESTメッセージで、“re-attach not required”の分離型および“GPRS services not allowed in this PLMN”を示す分離原因を含む。一例では、サブキャリア識別カードを無効に設定する手順は、サービスネットワークから特定のメッセージを受信する移動通信装置によりトリガーされ、特定のメッセージは、“Illegal ME”を示す拒絶理由を含み、位置登録手順期間に受信されたROUTING AREA UPDATE REJECT/LOCATION UPDATING REJECTメッセージ、または、サービス要求手順または通話再構築手順期間で受信され、“Illegal ME”を示す拒絶理由を含むCM SERVICE REJECTメッセージである。また、この特定のメッセージは、ネットワーク初期化分離手順期間に受信されたDETACH REQUESTメッセージで、“re-attach not required”の分離型および“IMSI unknown in HLR”を示す分離原因を含む。
【００４２】
続いて、バックオフタイマーが期限切れになるまで、移動通信装置は、サービスネットワークへのあらゆるアクセスを禁止する(ステップS1220)。その後、移動通信装置のモバイル通信機能がバックオフタイマーが期限切れになる前にオフになるまたは移動通信装置がサービスネットワークから分離される時、移動通信装置はバックオフタイマーの運転を維持する(ステップS1230)。モバイル通信機能がオフになる期間も、バックオフタイマーは運転を維持するので、モバイル通信機能が再度オンになる時、移動通信装置はバックオフタイマーが期限切れか判断する。バックオフタイマーが既に期限切れの場合、移動通信装置は、禁止PLMNリストを除去またはクリアにするか、または、サブキャリアカードを有効に設定し、サービスネットワークへのアクセスが可能である。特に、移動通信装置のモバイル通信機能がオフになる前、禁止PLMNリストおよびサブキャリア識別カードの無効設定が保存される。反対に、バックオフタイマーがまだ期限切れでない場合、移動通信装置は、バックオフタイマーが期限切れの時だけ、禁止PLMNリストを除去またはクリアにするか、または、サブキャリアカードを有効に設定する。
【００４３】
留意すべきことは、本発明の方法により、バックオフタイマーの運転期間中、サービスネットワークが属するPLMNアイデンティティは禁止PLMNリスト中に存在するかまたはサブキャリア識別カードの無効設定は変化が無いので、移動通信装置は、サービスネットワークへのアクセスを禁止することである。よって、サービスネットワークへの通信トラフィックが制御され、且つ、移動通信装置は、バックオフタイマーの適切な処理により通常サービスを得ることが出来る。
【００４４】
図13は、本発明の更に別の実施の形態によるバックオフタイマーにより、低優先度装置またはMTC装置を維持するアクセス制御方法のフローチャートである。図11と同様、この実施の形態中の本方法は、MTCに設定されるまたは低優先度装置として設定されるあらゆる移動通信装置、例えば、図1中の移動通信装置110に適用される。まず、本方法は、PLMNアイデンティティを禁止PLMNリストに加えるまたは移動通信装置に結合するサブキャリアカードを無効に設定する時、移動通信装置はバックオフタイマーを開始する(ステップS1310)。一例では、禁止PLMNリストは、移動通信装置は非GPRSサービスのアクセスを禁止するPLMNアイデンティティを保存する“禁止PLMNリスト”で、PLMNアイデンティティを“禁止PLMNリスト”に追加する手順は、サービスネットワークから特定のメッセージを受信する移動通信装置によりトリガーされ、特定のメッセージは、”PLMN not allowed”を示す拒絶理由を含み、取り付け手順期間に受信されたATTACH REJECTメッセージであり得る、または、“PLMN not allowed”を示す拒絶理由を含み、位置登録手順期間に受信されたROUTING AREA UPDATE REJECT/LOCATION UPDATING REJECTメッセージであり得る、または、“PLMN not allowed”を示す拒絶理由を含み、サービス要求手順期間に受信されたSERVICE REJECTメッセージである。また、この特定のメッセージは、ネットワーク初期化分離手順期間に受信された DETACH REQUESTメッセージで、“re-attach not required”の分離型および“PLMN not allowed”を示す分離原因を含む。別の例では、禁止PLMNリストは、移動通信装置がGPRSサービスまたはEPSサービスのアクセスを禁止するPLMNアイデンティティを保存する“GPRSサービスの禁止PLMN”リストで、PLMNアイデンティティを“GPRSサービスの禁止PLMN”リストに追加する手順は、サービスネットワークから特定のメッセージを受信する移動通信装置によりトリガーされ、特定のメッセージは、“GPRS services not allowed in this PLMN”を示す拒絶理由を含み、取り付け手順期間に受信されたATTACH REJECTメッセージ、または、“GPRS services not allowed in this PLMN”を示す拒絶理由を含み、位置登録手順期間に受信されたROUTING AREA UPDATE REJECTメッセージである。また、この特定のメッセージは、ネットワーク初期化分離手順期間に受信されたDETACH REQUESTメッセージで、“re-attach not required”の分離型および“GPRS services not allowed in this PLMN”を示す分離原因を含む。一例では、サブキャリア識別カードを無効に設定する手順はサービスネットワークから特定のメッセージを受信する移動通信装置によりトリガーされる。特定のメッセージは、“Illegal ME”を示す拒絶理由を含み、位置登録手順期間に受信されたROUTING AREA UPDATE REJECT/LOCATION UPDATING REJECTメッセージであり得る、または、サービス要求手順または通話再構築手順期間に受信され、“Illegal ME”を示す拒絶理由を含むCM SERVICE REJECTメッセージである。また、この特定のメッセージは、ネットワーク初期化分離手順期間に受信されたDETACH REQUESTメッセージで、“re-attach not required”の分離型および“IMSI unknown in HLR”を示す分離原因を含む。
【００４５】
続いて、バックオフタイマーが期限切れになるまで、移動通信装置は、サービスネットワークへのあらゆるアクセスを禁止する(ステップS1320)。その後、バックオフタイマーが期限切れになる前に、移動通信装置がオフになる時、移動通信装置は、禁止PLMNリストまたはサブキャリア識別カードの無効設定を保存しない、または、バックオフタイマーが期限切れになる前、移動通信装置がオフになる時、禁止PLMNリストまたはサブキャリア識別カードの無効設定を保存し、その後、移動通信装置が電源オンになる時、禁止PLMNリストを除去するかまたはサブキャリア識別カードを有効に設定する(ステップS1330)。言い換えると、移動通信装置が電源オフになる時、バックオフタイマーは停止する。留意すべきことは、電源オフの前、禁止PLMNリストおよび/またはサブキャリア識別カードの無効設定は保存されないので、移動通信装置が再度オンになる時、移動通信装置は、サービスネットワークが属するPLMNアイデンティティを非禁止および/またはサブキャリア識別カードを有効と見なすことである。よって、移動通信装置は、バックオフタイマー、禁止PLMNリストの適切な処理および/またはサブキャリア識別カードの有効設定により通常サービスを得ることができる。
【００４６】
本発明の好ましい施の形態を前述の通り開示したが、これらの実施の形態は決して本発明に限定するものではなく、当該技術を熟知する者なら誰でも、本発明の精神と領域を脱しない範囲内で各種の変形態様をとることができ、および修正を加えることができ、例えば、バックオフタイマーにより、低優先度装置とMTC装置を維持するアクセス制御方法は、WCDMA/LTE/LTE-先進技術のあらゆる進化技術に従って、移動通信装置に適用される。これにより、本発明の保護範囲は、特許請求の範囲で規定した内容を基準とする。
【符号の説明】
【００４７】
100〜モバイル通信環境；
110〜移動通信装置；
111〜無線モジュール；
112〜コントローラーモジュール；
120〜サービスネットワーク；
121〜アクセスネットワーク；
122〜コアネットワーク。
【図１】
0005642858.tif 000002
【図２】
0005642858.tif 000003
【図３】
0005642858.tif 000004
【図４】
0005642858.tif 000005
【図５】
0005642858.tif 000006
【図６】
0005642858.tif 000007
【図７】
0005642858.tif 000008
【図８】
0005642858.tif 000009
【図９】
0005642858.tif 000010
【図１０】
0005642858.tif 000011
【図１１】
0005642858.tif 000012
【図１２】
0005642858.tif 000013
【図１３】
0005642858.tif 000014